(57)【特許請求の範囲】
【請求項１】
自閉式の引戸を全開を含む所定区間において任意の開き位置に保持するとともに、緊急時には外部から信号を受けて前記引戸の保持を解除するようにした引戸の任意位置停止装置において、
前記引戸側に取り付けられ、引戸の開閉方向に延びる長尺状部を有する被保持部材と、
壁側に取り付けられる装置本体と、を備え、
前記装置本体は、
引戸に沿った平面と直交する方向の支軸回りに回動可能な回動アームと、
前記回動アームにその回動面に沿って回動可能に支持され、前記長尺状部に接触して被保持部材を保持するための接触部と、
前記接触部が接触した状態で長尺状部が引戸の閉じ側へ移動するように前記回動アームを回動付勢する付勢手段と、
前記回動アームに係止してその回動を前記付勢手段の付勢力に抗して阻止する阻止手段と、
前記付勢手段による回動アームの回動時に前記接触部を回動アームと一体に回動させる押さえ部材とを有し、
通常時には、前記付勢手段による回動アームの回動を阻止手段により阻止することで、前記接触部を上下方向から被保持部材の長尺状部に押圧して保持する一方、緊急時に前記外部からの信号を受けたときには、前記阻止手段による回動アームの回動の阻止を解除することで、前記接触部による被保持部材の保持状態を解除するとともに、前記付勢手段により回動アームを接触部と共に回動させて、当該接触部によって長尺状部を引戸の閉じ側へ移動させるように構成されている
ことを特徴とする引戸の任意位置停止装置。
【請求項２】
装置本体の接触部による被保持部材の保持力が調節可能に構成されていることを特徴とする請求項１に記載の引戸の任意位置停止装置。
【請求項３】
装置本体は、引戸が全閉のときには接触部が長尺状部に接触しないように配置されている
ことを特徴とする請求項１又は２のいずれかに記載の引戸の任意位置停止装置。
【請求項４】
被保持部材の長尺状部は、引戸の開閉方向一側から他側に亘って延びており、その両端側においてそれぞれ取付部材を介して引戸に取り付けられているとともに、該引戸開閉方向の中間部位において装置本体の接触部により押圧される側と反対側からローラを介して壁側に支持されていることを特徴とする請求項１に記載の引戸の任意位置停止装置。
【請求項５】
被保持部材は、引戸の開閉方向に延びる複数の長尺状部を有し、この各長尺状部がそれぞれ取付部材を介して引戸に取り付けられていることを特徴とする請求項１に記載の引戸の任意位置停止装置。
【請求項６】
被保持部材の長尺状部において装置本体の接触部との接触面はそれ以外の部位に比べて摩擦係数が高くされていることを特徴とする請求項１〜５のいずれか１つに記載の引戸の任意位置停止装置。
【請求項７】
壁側には、装置本体の取り付けられている部位を含む所定領域を着脱自在に覆う蓋パネルが設けられていることを特徴とする請求項１〜６のいずれか１つに記載の引戸の任意位置停止装置。
【発明の詳細な説明】
【技術分野】
【０００１】
本発明は、自閉式の引戸を全開を含む所定区間において任意の開き位置に保持するとともに、火災等の緊急時にはその保持を解除するように構成された引戸の任意位置停止装置の改良に関する。
【背景技術】
【０００２】
従来より、引戸は、例えばそれを吊り下げるためのレールを閉じ側に傾斜させたり、つるまきバネ等の蓄勢力を利用して閉じ側に付勢したりして、自動的に閉じるように構成されることがある。また、その自閉式の引戸を任意の開き位置に保持するための装置、即ち任意位置停止装置を備える場合もある。このような装置は、通常時には引戸を任意の開き位置に保持することができる一方、火災等の緊急時には例えば火災報知器からの信号を受けてその保持を解除するようになっており、これにより引戸が自閉して、火災による延焼や煙の広がりを防止することができる。
【０００３】
そのような任意位置停止装置としては、例えば特許文献１、２に記載されているように、引戸に取り付けられてその開閉とともに移動し、通常時にはレールやその上を走行するローラを押圧することによって、引戸を停止させるようにしたものがある。そして、火災報知器からの信号を受けると、レールやローラの押圧状態がソレノイドの作動によって解除されるようになっている。
【０００４】
また、緊急時には引戸の保持を解除するだけでなく、それを積極的に閉じるようにしたものもある。例えば特許文献３に記載の開閉戸のストップ装置は、火災報知器等からの信号を受けたときに引戸の保持状態を解除するように構成されるとともに、その信号を受けて回動して、引戸のブラケットを戸尻側から押圧する押し出し部材を備えており、これにより引戸を閉じ側に押し出すようになっている。
【特許文献１】特開平９−１１９２５９号公報
【特許文献２】特開２０００−８７６３８号公報
【特許文献３】特開２００５−２２６３５３号公報
【発明の開示】
【発明が解決しようとする課題】
【０００５】
ところが、前記特許文献３に記載のものでは、緊急時に引戸の保持を解除するための機構とは別に、引戸を閉じ側に押し出すための機構が必要であるから、構造が複雑になってしまう。
【０００６】
また、押し出し部材は通常は引戸のブラケットから離れており、緊急時に回動されて初めて該ブラケットに当接するようになっているため、その際に引戸の位置が僅かでもずれていると、押し出し部材によるブラケットへの押圧力が不足する虞れがあり、さらには空振りする可能性もある。
【０００７】
斯かる点に鑑みて、本発明の目的は、構造を複雑にすることなく、緊急時においてより確実に引戸を閉じることができる任意位置停止装置を提供することにある。
【課題を解決するための手段】
【０００８】
前記の目的を達成するために、本発明の任意位置停止装置では、引戸側の被保持部材に接触して任意の開き位置に保持する接触部を備え、緊急時にはこの接触部自体によって引戸を閉じ側へ付勢するようにしたものである。
【０００９】
すなわち、請求項１の発明は、自閉式の引戸を全開を含む所定区間において任意の開き位置に保持するとともに、緊急時には外部から信号を受けて前記引戸の保持を解除するようにした引戸の任意位置停止装置を対象として、装置本体を壁側に取り付ける一方、引戸側には、引戸の開閉方向に延びる長尺状部を有する被保持部材を取り付ける。
【００１０】
そして、前記装置本体は、引戸に沿った平面と直交する方向の支軸回りに回動可能な回動アームと、この回動アームにその回動面に沿って回動可能に支持され、前記長尺状部に接触して被保持部材を保持するための接触部と、この接触部が接触した状態で長尺状部が引戸の閉じ側へ移動するように前記回動アームを回動付勢する付勢手段と、前記回動アームに係止してその回動を前記付勢手段の付勢力に抗して阻止する阻止手段と、前記付勢手段による回動アームの回動時に前記接触部を回動アームと一体に回動させる押さえ部材とを有し、通常時には、前記付勢手段による回動アームの回動を阻止手段により阻止することで、前記接触部を上下方向から被保持部材の長尺状部に押圧して保持する一方、緊急時に前記外部からの信号を受けたときには、前記阻止手段による回動アームの回動の阻止を解除することで、前記接触部による被保持部材の保持状態を解除するとともに、前記付勢手段により回動アームを接触部と共に回動させて、当該接触部によって長尺状部を引戸の閉じ側へ移動させるように構成した。
【００１１】
前記構成の任意位置停止装置では、引戸側に長尺状部を有する被保持部材が、また壁側に装置本体がそれぞれ取り付けられ、この壁側の装置本体は回動アーム、接触部、付勢手段、阻止手段及び押さえ部材を有しており、通常時には、装置本体の回動アームの付勢手段による回動が阻止手段により阻止され、その状態で回動アームに回動可能に支持されている接触部を長尺状部に接触させることにより、引戸を任意の開き位置に保持することができる。そのため、装置本体は比較的小型で済み、全閉時の引戸の戸尻側の端部付近に配置することができるので、引戸を壁に収納する仕様にも対応可能である。
【００１２】
そして、火災等の緊急時には外部からの信号を受けて、阻止手段による回動アームの回動の阻止が解除される。このことで、引戸側の被保持部材の長尺状部に接触している装置本体の接触部の保持状態が解除されるとともに、付勢手段により回動アームが回動し、この回動時に押さえ部材によって接触部が回動アームと一体に回動して、この接触部と一体の回動アームの回動により長尺状部を引戸の閉じ側へ移動させる。このことで、空振りは勿論、力不足の生じる虞れもなく、引戸には確実に閉じ側への力が作用して該引戸に初速を付与し、それが自動的に閉じることになる。
【００１３】
しかも、そうして通常時は引戸を保持するための装置本体の接触部を利用して、緊急時には引戸を閉じ側へ付勢するようにしているので、緊急時に引戸の保持を解除するための機構と、引戸を閉じ側に付勢するための機構とを共通化することも可能になり、これにより構造の簡略化が図られる。
【００１４】
そのような構成の任意位置停止装置において、装置本体の接触部による被保持部材の保持力は調節可能とするのが好ましい（請求項２の発明）。こうすれば、引戸のサイズやその設置状況等に応じて、引戸の保持力を使いやすい大きさに設定することが容易になる。
【００１５】
その場合に、前記装置本体の接触部は、引戸が全閉のときには非保持部材の長尺状部に接触しないように配置することが好ましい（請求項３の発明）。こうすれば、引戸の全閉状態では装置本体の接触部が引戸側の被保持部材の長尺状部を押圧することがないので、開き始めの際に必要な力が小さくて済む。
【００１６】
また、好ましいのは、前記被保持部材の長尺状部を、引戸の開閉方向一側から他側に亘って延びるように設けて、その両端側においてそれぞれ取付部材を介して引戸に取り付けることであり（請求項４の発明）、こうすれば、引戸を全閉から全開までの殆ど全ての位置において保持することができるとともに、装置本体の設置個所の自由度も高くなる。
【００１７】
その場合に好ましいのは、前記被保持部材の長尺状部を、引戸開閉方向の中間部位において装置本体の接触部により押圧される側と反対側から、ローラを介して壁側に支持させる構成とすることである。こうして装置本体の接触部により押圧される側と反対側から支持することで、被保持部材が長くなってもその撓みを抑制することができ、接触部による保持状態がより安定的に確保される。
【００１８】
或いは、前記被保持部材は、引戸の開閉方向に延びる複数の長尺状部を有するものとし、この各長尺状部を、それぞれ取付部材を介して引戸に取り付ける構造としてもよい（請求項５の発明）。
【００１９】
さらに、前記の如き任意位置停止装置において、被保持部材の長尺状部における装置本体の接触部との接触面を、それ以外の部位に比べて摩擦係数の高いものとすれば（請求項６の発明）、滑りを抑えて、装置本体の接触部による被保持部材の保持をより確実なものとすることができ、好ましい。
【００２０】
さらにまた、前記の如き任意位置停止装置において、その装置本体を取り付ける壁側には、該装置本体の取り付け部位を含む所定領域を着脱自在に覆うように、蓋パネルを設けることが好ましい（請求項７の発明）。こうすれば、その蓋パネルを取り外すことによって装置本体の取付部を表出させることができ、装置本体の修理や交換等が容易に行える。この構成は特に、壁側の戸袋に引戸が収納される、いわゆる壁収納仕様に適している。
【発明の効果】
【００２１】
以上のように、本発明に係る引戸の任意位置停止装置によると、通常時には装置本体の付勢手段による回動アームの回動を阻止し、その回動アームに支持されている接触部を被保持部材の長尺状部に接触させて、引戸を任意の開き位置に保持することができるとともに、緊急時には回動アームの回動阻止を解除し、接触部による被保持部材の保持状態を解除するとともに、付勢手段により回動アームを接触部と一体に回動させて、その接触部自体によって引戸を閉じ側へ移動するようにしたので、空振りや力不足を生じることなく、引戸に初速を付与してより確実に引戸を閉じることができる。また、装置本体の接触部による引戸の保持を解除するための機構と、引戸を閉じ側に付勢するための機構とを共通化することもでき、構造を簡略化することができる。
【発明を実施するための最良の形態】
【００２２】
以下、本発明の実施形態を図面に基いて説明する。尚、以下の好ましい実施形態の説明は、本質的に例示に過ぎず、本発明、その適用物或いはその用途を制限することを意図するものではない。
【００２３】
図１乃至図１０には、本発明に係る任意位置停止装置を使用した自閉式引戸の一実施形態を示す。図１は通常時における引戸４の全閉状態を、図２は同全開状態を、また、図３は、火災時（緊急時）に引戸４が全開状態から閉じ側に移動を開始するときを、それぞれ示しており、各図において１は戸先側の縦枠で、２は戸尻側の縦枠で、３は両縦枠１，２の上端部同士を横方向に連結する上枠である。該上枠３には引戸４を吊り下げるレール５が取り付けられ、引戸４の上端部に取り付けられた戸車６がレール５上を走行することにより、該引戸４が左右にスライドして開閉するようになっている。
【００２４】
前記戸車６は、引戸４の戸先側と戸尻側の二箇所にそれぞれ戸車支持部材７を介して取り付けられている。また、レール５は戸先側（図の例では左側）に向けて下方に傾斜する傾斜レールであり、引戸４はその自重により閉じ側（同左側）に付勢されて自動的に閉じるようになっている。また、戸先側の戸車支持部材７の戸尻側部分には、ピニオンギヤ（図示省略）を有する制動装置８が取り付けられており、引戸４が全閉する手前で制動装置８のピニオンギヤがレール５の戸先側に設けられたラック９に噛合することによって、引戸４が減速されるようになっている。尚、戸尻側の縦枠２には引戸４の全開時の衝撃を緩和すべく、戸当たり１０が取り付けられている。
【００２５】
そうして自動的に閉じようとする引戸４を全閉から全開までの殆ど全ての区間において任意の開き位置に保持するとともに、火災時にはその保持状態を解除するように、本発明に係る任意位置停止装置が設置されている。この実施形態の任意位置停止装置は、引戸４に取り付けられる被保持部材としての保持レール２０と、上枠３（壁側）に取り付けられる装置本体３０とを備えている。保持レール２０は、引戸４の開閉方向に戸先側から戸尻側に亘って延びる長尺状部を有するものであって、本実施形態においては一本の棒状体、具体的には図４に示すように断面Ｌ字形状の棒材によって構成され、その全体が長尺状部とされている。
【００２６】
より詳しくは、保持レール２０は、二つの戸車６，６間を橋渡しするようにその上方に配置されていて、戸車支持部材７，７にそれぞれ取付部材２１，２１を介して取り付けられている。取付部材２１は、引戸４の開閉方向に戸尻側から見て図４に示すように、上下に長い矩形状の取付板２２と、左右に長い扁平な矩形ブロック状の固定台２３とからなり、この固定台２３は、その後端が保持レール２０に対しその長手方向にスライド可能に係合されて、前後方向の貫通ねじ２４により固定されている。また、前記取付部材２１の固定台２３の前面には取付板２２の上部が重ね合わされて、ねじ２５により締結される一方、その取付板２２の上下の中間部から下部にかけての部位は戸車支持部材７の前面に重ね合わされて、ねじ２６，２６により締結されている。
【００２７】
そうして取付部材２１，２１を介して引戸４に取り付けられている保持レール２０は、縦壁部とその上端から前方に略水平に伸びた上壁部とを有し、その縦壁部の前面には、前記取付部材２１の固定台２３の後端がスライド可能に係合する溝部が形成される一方、上壁部の後側（図４の右側）寄りの部位には平坦な上面２０ａが形成されていて、図１等に示されているように、その上面２０ａが略水平に引戸４の開閉方向に延びている。尚、前記上面２０ａの前側にはガイド溝が形成されていて、装置本体３０に設けられた保持部材３７（後述）の一部が係合するようになっている。
【００２８】
また、前記保持レール２０の戸先側及び戸尻側の端部は、それぞれ、引戸４の戸先側及び戸尻側に位置する各取付部材２１，２１からさらに戸先側及び戸尻側に延びていて、その各先端部は、引戸４の戸先側及び戸尻側の端縁よりも内方に位置している。そして、図１のように引戸４が全閉位置にあるときには、保持レール２０の戸尻側の端部が装置本体３０の保持部材３７（後述）と接触し得ず、一方、図２のように全開位置にあれば、保持レール２０の戸先側の端部が保持部材３７と接触し得るようになっている。
【００２９】
尚、この実施形態では、保持レール２０の戸先側及び戸尻側の中間部位に取付部材２７を介して戸車２８が取り付けられており、この戸車２８が傾斜レール５上を走行するようになっている。言い換えと、保持レール２０は、引戸４の開閉方向の中間部位において戸車２８（ローラ）を介して壁側の傾斜レール５により下方から支持されており、このことで、その下方への撓みが抑制される。
【００３０】
（装置本体の構成）
前記のように引戸４に取り付けられた保持レール２０に対して、壁側である上枠３に取り付けられる装置本体３０の構成について、以下、図５乃至図９を参照して詳細に説明する。尚、図５(a)は装置本体３０を前方から見た正面図であり、同図(b)は戸先側から見た側面図、同図(c)は上面図である。また、図６乃至図９は、それぞれ、装置本体３０の作動状態を示すために一部の部材を省略して示した正面図である。
【００３１】
図５(a)等に示すように、この実施形態の装置本体３０は、長方形の板状のベース３１を有し、その下部には上下に長い取り付け用の長穴３１ａ，３１ａが左右一対、設けられている。このベース３１が上枠３の前面に重ね合わされて、前記長穴３１ａ，３１ａにそれぞれ挿通されたボルト２９，２９（図１乃至３を参照）により締結される。その際、長穴３１ａ，３１ａに対するボルト２９，２９の上下位置を変更することで、上枠３への装置本体３０の取付高さを調整することができる。
【００３２】
一方、ベース３１の上部前面には、断面コ字状の中間パネル３２が左右両端のフランジにて取り付けられて、ベース３１との間に下方に開口した断面矩形状の室を形成し、さらにその中間パネル３２の前方を覆うように、板状のフロントカバー３３が取り付けられている。また、前記ベース３１及び中間パネル３２に囲まれた室内の略中央には、ベース３１から前方に略水平に突出するように支軸３５が設けられていて、回動アーム３６を回動可能に支持している。
【００３３】
この実施形態では回動アーム３６は略同じ形状の一対の板部材（図５(c)にのみ符号３６１，３６２を付して区別して示す）からなり、それらが中間パネル３２の内外で一体に回動するように、支軸３５に取り付けられている。すなわち、支軸３５はベース３１から中間パネル３２に亘って延び、さらに中間パネル３２を貫通して先端側が前方に突出しており、そこに回動アーム３６の一方の板部材３６１が取り付けられるとともに、他方の板部材３６２は中間パネル３２内で支軸３５の基端側（後端側）に取り付けられている。
【００３４】
そして、前記回動アーム３６には、引戸４側の保持レール２０に接触してこれを保持するための保持部材３７（接触部）が取り付けられており、図５乃至図７に示す通常時においては、保持部材３７の取付部位が最下部となるように位置して、その保持部材３７を保持レール２０の上面２０ａ（接触面）に接触可能な通常位置に位置付けるようになっている。また、詳しくは後述するが、回動アーム３６が前記通常時の位置から図の時計回りに回動すると、保持部材３７は、保持レール上面２０ａに接触し得ない退避位置に位置付けられる（図９を参照）。
【００３５】
前記保持部材３７は、例えばゴム等を材料として一側が他側よりも窄んだ繭状に形成され、その一側の端部（基端部）が回動アーム３６に枢着されて、他側である先端側が該回動アーム３６の回動面に沿って回動するようになっている。すなわち、回動アーム３６を構成する一対の板部材３６１，３６２間に跨って支軸３５と略平行に延びる回動軸３８が設けられ、この回動軸３８に保持部材３７の基端部が取り付けられている。一方、保持部材３７の先端側は外方に凸の弧状に形成されていて、その弧面には複数の凹凸が形成されている。
【００３６】
この保持部材３７は、先端側が保持レール２０の上面２０ａに接触しないフリー状態では図６に示すように自重により回動中心から垂れ下がって、先端側が下方を向いた状態になるが、通常位置にあるときには保持レール上面２０ａとの接触によって戸先側、戸尻側のいずれへも回動可能である。例えば、引戸４が開かれるときに保持部材３７は、保持レール２０の戸尻側への移動に連れて、図７のように戸尻側へ回動する。尚、回動アーム３６には、回動軸３８から戸尻側に所定距離離間した位置において板部材３６１，３６２間に跨って回動軸３８と略平行に押さえ棒３９が取り付けられており、保持部材３７の戸尻側への回動量は最大でも、その抑え棒３９に当たるまでとなる。
【００３７】
そうして戸尻側に回動した状態で、保持部材３７先端側の弧状面は保持レール上面２０ａに接触しており、引戸４の自重（つるまきバネの蓄勢力を利用して引戸４を自閉するように構成した場合は、その蓄勢力）によって、保持レール２０から戸先側への力が作用すると、これにより押圧されるとともに、その反力として保持レール２０を上方から押圧して、これを保持するようになる。
【００３８】
さらに、前記保持部材３７は、回動アーム３６との枢着部が長孔状に形成されて、回動軸３８に対し相対移動可能になっており、この長孔内にて回動軸３８との間に配設されたバネ４０により、保持部材３７の先端側が該回動軸３８から離れるように付勢されている。そのため、前記のように保持部材３７によって保持されている引戸４を人が閉じ側に操作すれば、この引戸４とともに保持レール２０が戸先側へ移動するのに連れて、保持部材３７が弾性変形しつつバネ４０の圧縮によって回動軸３８の側へ移動し、これにより逆向きに回動して、引戸４の保持を解除するようになる。
【００３９】
次に、例えば火災等の緊急時に回動アーム３６を回動させて、保持部材３７を前記の通常位置から退避位置に移動させる機構について説明する。まず、回動アーム３６には、支軸３５から離れるように延びるアームレバー４１が取り付けられており、このアームレバー４１の先端側に取り付けられた引っ張りバネ４２によって図の時計回りに付勢されているとともに、通常時はその回動がレバー部材４３によって阻止されており、これにより、回動アーム３６は保持部材３７を前記の通常位置に位置付けている。
【００４０】
前記レバー部材４３は、中間パネル３２の前面において回動アーム３６の戸尻側（図の右側）に隣接し上下に延びるように配置されており、その上端部は中間パネル３２の前面から前方に突出する軸４４に回転可能に支持されている。また、レバー部材４３の戸先側（左側）、即ち回動アーム３６と隣接する側の縁部には、それぞれ下方に向けて徐々に戸尻側に傾斜する傾斜面が上下二箇所に離れて形成され、その中間に段部４３ａが形成されている。
【００４１】
一方、回動アーム３６の戸尻側、即ちレバー部材４３と隣接する側の上部には、該レバー部材４３の段部４３ａによって係止可能なフック部３６ａが形成され、図６、７に示すようにそのフック部３６ａがレバー部材４３の段部４３ａにより係止されることで、該回動アーム３６の回動が阻止されている。また、レバー部材４３は、互いに組み合わされてトグル機構を構成する第１、第２のリンク４５，４６とともにリンク機構を構成しており、緊急時には前記のような回動アーム３６の係止状態を解除して、引っ張りバネ４２の付勢力により図の時計回りに回動させるようになっている。
【００４２】
より具体的に、この実施形態では中間パネル３２の前面における右下隅部から前方に突出するように軸４７が設けられており、この軸４７に第１のリンク４５の一端部が回転可能に支持されている。この第１リンク４５の他端部にはピンを介して第２のリンク４６の一端部が回転可能に連結され、この第２リンク４６の他端部は前記レバー部材４３の下端部にピンを介して回転可能に連結されている。また、第１リンク４５は、軸４７に巻回された捻りバネによって常時、下方に付勢されている。
【００４３】
また、前記軸４７の下方に近接して中間パネル３２の下端には、その一部が前方に向けて折り曲げられて座部３２ａが形成されていて、この座部３２ａに調整ネジ４８が上方に向けて突設されており、この調整ネジ４８が第１リンク４５に下方から当接することで、その下方への回動が阻止されるようになっている。これにより、前記第１及び第２のリンク４５，４６は通常時において略水平な状態になり、上下に伸びるレバー部材４３と合わせて、中間パネル３２の前面における戸尻側に平面視でＬ字状に配置されている。
【００４４】
さらに、そうして平面視でＬ字状に配置されたレバー部材４３及び第１、第２リンク４５，４６に対応して、図５(c)や図６乃至９に破線で示すように中間パネル３２の内面には、下方に向けて出退する芯棒５１を備えたソレノイド５０が取り付けられており、その芯棒５１に取り付けられた引っ掛けピン５２によって第１、第２リンク４５，４６を作動させて、レバー部材４３による回動アーム３６の係止状態を解除するようになっている。
【００４５】
すなわち、前記ソレノイド５０の芯棒５１の先端部（下端部）には、その径方向である前後方向に延びるように引っ掛けピン５２が取り付けられており、その前端部は、中間パネル３２に形成された切欠部から前方に突出して、第１リンク４５の下方に位置している。また、ソレノイド５０の芯棒５１の先端に下方から対峙するように、断面Ｌ字状の板部材５３が中間パネル３２に取り付けられ、その板部材５３に取り付けられた袋ナット５４の上部を当て面として、芯棒５１の下方への進出が阻止されるようになっている。
【００４６】
そして、前記ソレノイド５０への通電によって芯棒５１が後退すると、図８、９の如く、芯棒５１及びその先端部の引っ掛けピン５２が上昇し、この引っ掛けピン５２が第１のリンク４５を上方に押し上げることで、第１及び第２のリンク４５，４６の形状がハの字状に変化する。これにより、レバー部材４３が上端の軸４４を支点として戸尻側に向けて反時計回りに回動し、このレバー部材４３の段部４３ａによるフック部３６ａの係止が外れて、回動アーム３６は、引っ張りバネ４２の付勢力により図の時計回りに回動するようになる。
【００４７】
そうして回動アーム３６が回動を始めるとき、図８に示すように保持部材３７は、その戸尻側の側縁に押さえ棒３９が当接して戸先側に押し出され、回動アーム３６と一体に回動して、保持レール２０の上面２０ａを押圧する先端側が当該保持レール２０を介して引戸４を戸先側に送り出す。その後、回動アーム３６の回動に連れて保持部材３７は支軸３５周りに戸先側斜め上方へ移動し、この保持部材３７の先端側が自重により保持レール上面２０ａと接触した状態で、引戸４が閉じ側に移動する。そして、図９に示すように回動軸３８が中間パネル３２の下縁に形成された凹部３２ｂに当接した状態で、回動アーム３６のそれ以上の回動が阻止されて、保持部材３７は退避位置に位置付けられる。
【００４８】
以上のように構成された装置本体３０は、この実施形態では図１乃至図４に示すように上枠３に取り付けられるが、その取付高さをベース３１の長穴３１ａ，３１ａにより調節することができ、例えば、それを比較的高めに取り付ければ、装置本体３０の保持部材３７による保持レール２０の保持力を比較的小さめにすることができる。こうして引戸４の保持力をそのサイズや設置状況等に応じて、使いやすい大きさに容易に設定することができる。
【００４９】
また、この実施形態では装置本体３０を上枠３の左右方向（引戸４の開閉方向）の略中央に取り付けており、上述したが、図１に示すように引戸４が全閉位置にあるときには、それに取り付けられた保持レール２０の戸尻側の端部が装置本体３０の保持部材３７と左右に離間していて、その保持部材３７が通常位置にあっても保持レール上面２０ａとは接触（押圧）しないようになっている。このため、引戸４を全閉位置から開き始める際に必要な力は小さくて済む。
【００５０】
ここで、装置本体３０の上枠３への取付位置についてさらに説明する。この実施形態に係る引戸の任意位置停止装置は、例えば図１０に示すように壁１００の一部を戸袋１０１として形成し、開いた引戸４が戸袋１０１内に収納される、いわゆる壁収納仕様に適したものである。図中の符号１０１ａは戸袋１０１の開口縁部を示し、引戸４の開き動作によって開口する開口部１０２の上方には、前方から見て横長の長方形領域があって、この領域が蓋パネル１０３により覆われている。
【００５１】
前記蓋パネル１０３は、着脱可能に取り付けられており、それを取り外したときに前記の領域が点検口として使用される。すなわち、蓋パネル１０３を取り外せば、全閉位置にある引戸４の戸車６，２８や取付部材２１，２７も表出させて、容易に保持レール２０のメンテナンスや調節を行うことができる。また、蓋パネル１０３の戸尻側縁の付近に装置本体３０が配置されており、蓋パネル１０３を取り外せば、装置本体３０もその大部分が表出する。よって、ベース３１の長穴３１ａ，３１ａに挿通させたボルト２９，２９を緩めて装置本体３０の高さ調節をしたり、或いはそれを取り外すことも容易に行える。
【００５２】
このように蓋パネル１０３を取り外すことにより、保持レール２０や装置本体３０のメンテナンスを容易に行うことができる。また、装置本体３０には電力の供給や火災報知器からの信号の入力が配線５５を介して行われるが、この配線５５も表出するので容易に点検することができる。
【００５３】
（任意位置停止装置の作動）
次に、上述の如く構成された任意位置停止装置の作動について説明する。
【００５４】
まず、通常時において、図１、６のように全閉の引戸４を人が開くときには、その引戸４の保持レール２０が装置本体３０の保持部材３７とは離れているので、開き始めの際に必要な力が小さくて済み、子供や高齢者でも操作がしやすい。そして、引戸４が少し開かれたときに保持レール２０の上面２０ａに保持部材３７の先端側が接触し、その摩擦抵抗によって保持部材３７は、保持レール２０の戸尻側への移動に連れて戸尻側へ回動した状態になる。
【００５５】
そうして開かれる途中の任意の位置で仮に引戸４を操作する手を離すと、引戸４は自重によって閉じようとするが、図７に示すように保持部材３７は戸尻側へ回動し、その先端側が保持レール上面２０ａに接触しており、ここから保持部材３７へ戸先側へ向かう力が作用すると、その反力として保持部材３７が保持レール上面２０ａを押圧し、これを保持するようになる。
【００５６】
そのような保持部材３７による保持レール２０の保持は、該保持レール上面２０ａに保持部材３７の先端側が接触する区間であれば、引戸４の任意の開き位置で行われるものであり、従って、保持レール２０の長手方向の任意の位置で引戸４を開いた状態に保持することができる。この実施形態では、引戸４の戸先側から戸尻側に対応して配設された保持レール２０の全長に亘って上面２０ａが形成されているので、引戸４を全閉から全開までの殆ど全ての位置に停止させることができる。
【００５７】
勿論、図２、７に示すように引戸４を全開位置付近に保持することもでき、この全開位置付近の使用頻度が最も高いと考えられるが、そうして全開位置付近に保持する際に保持部材３７は、戸先側の取付部材２１の上方近傍に位置することになり、保持部材３７によって上方から押圧される保持レール２０の部位は、戸先側の取付部２１が支持部となって下方からも押圧されることになる。このことで保持レール２０の撓みが抑制され、その保持状態が安定する。
【００５８】
また、そうして任意の開き位置に保持されている引戸４を閉じるために、人が戸先側に向けて操作すると、この操作力が保持レール２０を介して作用するため、保持部材３７が弾性変形しつつ回動軸３８の側へ移動し、これにより向きが反転して戸先側へ回動する。こうなると、保持部材３７による保持レール２０、即ち引戸４の保持は解除され、引戸４はその自重により自動的に全閉する。尚、通常時には、ソレノイド５０には通電されておらず、常に通電する構成に比して電気代を削減できる上に、長期間通電が要因となる電気的不具合の発生も防止される。
【００５９】
一方、前記図７のように引戸４が保持された状態で万一、火災が発生すると、火災報知器が信号を発し、その信号を受けて任意位置停止装置の装置本体３０が作動する。すなわち、火災報知器からの信号を受けた装置本体３０では、ソレノイド５０が通電状態となって芯棒５１を後退させる。これにより芯棒５１の引っ掛けピン５２が上方に移動して、第１のリンク４５を捻りバネの付勢力に抗して上方に押し上げる。すると、第１及び第２のリンク４５，４６はハの字状になり、レバー部材４３が回動して、その段部４３ａによる回動アーム３６のフック部３６ａの係止が解除される。
【００６０】
そうすると回動アーム３６は、引っ張りバネ４２の付勢力によって回動を始め、その回動アーム３６と一体に回動する保持部材３７が戸先側に移動して、図８に示すように保持レール２０の上面２０ａを戸先側に付勢する。こうして引戸４には保持レール２０及び保持部材３７を介して回動アーム３６から閉じ側への初速が付与され、その後、自重によりスピードを増しつつ閉じ側に移動するようになる。引戸４には全閉手前で制動装置８から制動力が付与されて、減速しつつ全閉になる。
【００６１】
そうして保持レール２０を戸先側に付勢して、引戸４を閉じ側に送り出した後、保持部材３７は回動アーム３６の回動に伴い戸先側斜め上方へ移動し、保持レール２０の上面２０ａから離れて、図９に示すように退避位置まで移動する。この退避位置では、図示の如く下方に垂れ下がっていても保持部材３７が保持レール上面２０ａに接触することはないから、仮に、火災時に避難する人が引戸４を開けようとしたときに、それが保持部材３７によって邪魔されることはない。
【００６２】
尚、前記火災等の後に装置本体３０を通常時の状態に復帰させる場合は、アームレバー４１を操作して回動アーム３６を、引っ張りバネ４２による付勢力に抗して図５乃至図９の反時計回りに回動させる。そして、回動アーム３６のフック部３６ａがレバー部材４３側縁の段部４３ａを乗り越えると、第１、第２リンク４５，４６を介して捻りバネにより戸先側に付勢されているレバー部材４３は、その段部４３ａによりフック部３６ａを係止して、回動アーム３６の時計回りの回動を阻止するようになる。このとき、第１及び第２リンク４５，４６は捻りバネにより元の略水平な状態に戻される。
【００６３】
（作用・効果）
したがって、以上のように構成された引戸の任意位置停止装置によると、通常の開閉使用時においては、上枠３に取り付けた装置本体３０の保持部材３７が、引戸４に取り付けた保持レール２０の上面２０ａに接触し、これを押圧して保持することにより、引戸４を停止させることができる。その保持レール２０は、引戸４の開閉方向に戸先側から戸尻側に亘って延びているので、引戸４は全閉から全開までの殆ど全ての位置において任意の開き位置に停止させることができる。
【００６４】
また、そうして引戸４の開閉方向に全体的に保持レール２０を設けているので、装置本体３０は比較的小型で済み、その設置個所の自由度も高くなる。この実施形態では全閉時の引戸４の戸尻側の端部付近に装置本体３０を配置しており、引戸４を壁に収納する仕様にも好適である。
【００６５】
また、そのように長い保持レール２０を、その長手方向の両端側で取付部材２１，２１により引戸４に取り付けるだけでなく、それらの中間部位において戸車２８を介して壁側の傾斜レール５により下方から支持しているので、その下方への撓みを抑制することができ、装置本体３０の保持部材３７により保持レール２０を上方から押圧して安定的に保持することができる。
【００６６】
そのように保持部材３７によって保持レール上面２０ａを上方から押圧して保持する力は、装置本体３０の取付高さをベース３１の長穴３１ａ，３１ａにより調節することで、ように変更することができ、引戸４のサイズや設置状況等に応じて、使いやすい大きさに設定することができる。
【００６７】
さらに、引戸４が全閉位置にあるときには、保持レール２０の戸尻側の端部が装置本体３０の保持部材３７とは左右に離間しており、その保持部材３７が通常位置にあっても接触し得ないから、引戸４を全閉位置から開き始める際はに保持部材３７との接触によって余計な力が必要になることはなく、子供や高齢者でも操作がしやすい。
【００６８】
そして、火災が発生すれば、火災報知器からの信号を受けて回動アーム３６が回動し、これと共に移動する保持部材３７が、既に接触している保持レール２０を戸先側に送り出すことで、確実に引戸４を閉じ側へ付勢することができる。つまり、保持部材３７が空振りすることは勿論、力不足の生じる虞れもなく、引戸４に閉じ側への初速を付与し、傾斜レール５に沿って確実に全閉位置へと移動させることができる。
【００６９】
しかも、そうして緊急時に保持部材３７を退避位置に移動させる機構と、この保持部材３７の移動を利用して引戸４の保持レール２０を閉じ側に付勢する機構とが、回動アーム３６の回動機構として共通化されており、別々の機構を備えるのに比べて構造が簡略なものになる。加えて、装置本体３０を上枠３に取り付けているため、火災報知器からの信号や電力の供給を受けるための配線５５の処理も容易で、故障し難い構造と言える。
【００７０】
さらにまた、この実施形態では装置本体３０を上枠３の略中央に配置し、その取付部位を含む領域を点検口として、着脱自在に蓋パネル１０３を設けているので、この蓋パネル１０３を取り外せば、装置本体３０の大半を表出させて、その高さ調節やメンテナンスを容易に行える。特に、この実施形態では、引戸４の開き動作によって開口する開口部１０２の上方を点検口としており、蓋パネル１０３を取り外せば、引戸４が全閉位置にあってもその戸車６，２８や取付部材２１，２７が表出するので、メンテナンス等はさらに容易に行える。
【００７１】
（変形例）
上述した実施形態では装置本体３０の上枠３への取付高さを調節可能とし、これにより保持レール２０の保持力を調節できるようにしたが、これに限らず、例えば保持レール２０の取付部材２１（取付板２２）を戸車支持部材７に締結するねじ２６の貫通穴を長穴として、保持レール２０の引戸４への取付高さを調節可能とすることもできる。勿論、それら両方の高さ調節を可能としてもよい。尚、保持部材３７の接触する保持レール２０の上面２０ａに高摩擦材を張り付ける等して、その摩擦係数を高くすれば、滑りを抑えて保持をより確実なものとすることができる。
【００７２】
また、前記の実施形態では、引戸４の戸先側から戸尻側に延びる保持レール２０の長手方向の中間部位に戸車２８を取り付けて、これにより下方から保持レール２０を支持しているが、保持レール２０の剛性が十分に高ければ戸車２８は設けなくてもよい。
【００７３】
さらに、前記の実施形態では、引戸４の戸先側から戸尻側に対応して設けた保持レール２０の全長に亘って、保持部材３７と接触する上面２０ａを形成し、引戸４を全閉から全開までの殆ど全ての開き位置に保持できるようにしたが、これに限らず、上面２０ａを保持レール２０の一部のみに設けて、それに対応する区間でのみ引戸４を保持できるようにしてもよい。
【００７４】
或いは保持レール２０自体を一部の区間にのみ設けることもでき、例えば図１１に示すように、戸車支持部材７，７に対応する戸先側及び戸尻側の区間にのみ、複数の保持レール２０，２０を設けることもできる。
【００７５】
さらにまた、前記実施形態では引戸４を自閉させるために傾斜レール５を採用したが、これに加えて、或いは傾斜レール５に代えて、例えばつるまきバネの蓄勢力を利用して引戸４を自閉するように構成してもよい。
【産業上の利用可能性】
【００７６】
以上、説明したように、本発明は、自閉式引戸の任意位置停止装置に係り、その構造を複雑にすることなく、緊急時においてより確実に引戸を閉じることができるものなので、病院や高齢者向けの施設にも好適である。
【図面の簡単な説明】
【００７７】
【図１】本発明の一実施形態に係る引戸の任意位置停止装置の取り付け状態であって、引戸の全閉状態を示す正面図。
【図２】引戸の全開状態を示す図１相当図。
【図３】火災時に引戸が閉じ側に移動を開始した状態を示す図１相当図。
【図４】引戸の開閉方向に戸尻側から見て、保持レールの取り付け構造を示す側面図。
【図５】装置本体の構造を示す(a)正面図、(b)側面図及び(c)上面図。
【図６】引戸が全閉位置にあるときの装置本体の状態を、フロントカバーを外して示す正面図。
【図７】引戸が全開位置にあるときの図６相当図。
【図８】火災時に引戸が閉じ側に移動を開始したときの図６相当図。
【図９】保持部材が退避位置に位置付けられたときの図６相当図。
【図１０】同装置の施工例を示す正面図。
【図１１】保持レールを一部の区間にのみ設けた変形例に係る図１相当図。
【符号の説明】
【００７８】
３…上枠（壁側）
４…引戸
２０…保持レール（被保持部材、長尺状部）
２０ａ…上面（接触面）
２１…取付部材
２８…戸車（ローラ）
３０…装置本体
３７…保持部材（接触部）
１０３…蓋パネル
【図１】
0004800852.tif 000002
【図２】
0004800852.tif 000003
【図３】
0004800852.tif 000004
【図４】
0004800852.tif 000005
【図５】
0004800852.tif 000006
【図６】
0004800852.tif 000007
【図７】
0004800852.tif 000008
【図８】
0004800852.tif 000009
【図９】
0004800852.tif 000010
【図１０】
0004800852.tif 000011
【図１１】
0004800852.tif 000012